(57)【要約】【課題】集光機能、光源ムラの隠蔽性とを兼ね備えた光学シート、及びその光学シートを使用した表示装置を提供する。【解決手段】シート状の基材の一方の面に、第１のレンズアレイ及び第２のレンズアレイが形成されると共に、他方の面に、第３のレンズアレイ及び第４のレンズアレイが形成される。第１のレンズアレイは方向に沿って延在すると共に互いに平行に配置された複数の第１レンズからなる。第２のレンズアレイは、第１レンズと交差する方向に沿って延在すると共に互いに平行に配置された複数の第２レンズからなる。第３のレンズアレイは、互いに平行に配置された第３レンズからなる。第４のレンズアレイは、上記第３レンズと交差する方向に沿って延在すると共に互いに平行に配置された複数の第４レンズからなる。第１レンズ及び第２レンズは、互いに射出光成分が異なるレンズ形状である。【選択図】        図１
2012027083.tif 000002
【特許請求の範囲】
【請求項１】
シート状の基材の一方の面に、第１のレンズアレイ及び第２のレンズアレイが形成されると共に、上記基材の他方の面に、第３のレンズアレイ及び第４のレンズアレイが形成され、
上記第１のレンズアレイは、それぞれ一方向に沿って延在すると共に互いに平行に配置された複数の第１レンズからなり、
上記第２のレンズアレイは、上記第１レンズの延在方向と交差する方向に沿って延在すると共に互いに平行に配置された複数の第２レンズからなり、
上記第３のレンズアレイは、互いに平行に配置された第３レンズからなり、
上記第４のレンズアレイは、上記第３レンズの延在方向と交差する方向に沿って延在すると共に互いに平行に配置された複数の第４レンズからなり、
上記第１レンズ及び上記第２レンズは、互い射出光成分が異なることを特徴とする光学シート。
【請求項２】
上記第１レンズの形状は、断面台形の台形プリズム形状であり、
その台形プリズムの頂角を６０度以上１００度以下の範囲に設定したことを特徴とする請求項１に記載したレンズシート。
【請求項３】
上記第２レンズの形状は、断面三角形の三角プリズム形状であり、
上記三角プリズムの頂角を７０度以上１３０度以下の範囲に設定したことを特徴とする請求項１又は請求項２に記載したレンズシート。
【請求項４】
上記第１レンズの高さをＨ１、上記第２レンズの高さをＨ２とした場合に、下記式を満足することを特徴とする請求項１〜請求項３のいずれか１項に記載した光学シート。
３＜Ｈ１／Ｈ２＜２０
【請求項５】
上記第３レンズの形状は、断面三角形の三角プリズム形状であり、
三角プリズムの頂角を、１５０度以上１８０度未満に設定したことを特徴とする請求項１〜請求項４のいずれか１項に記載した光学シート。
【請求項６】
上記第３レンズの頂部を丸めたことを特徴とする請求項５に記載した光学シート。
【請求項７】
上記第４レンズの形状は、断面三角形の三角プリズム形状であり、
三角プリズムの頂角を、１５０度以上１８０度未満に設定したことを特徴とする請求項
１〜請求項６のいずれか１項に記載した光学シート。
【請求項８】
上記第４レンズの頂部を丸めたことを特徴とする請求項７に記載した光学シート。
【請求項９】
光源と、
上記光源からの射出光を透過する画像表示素子と、
上記画像表示素子における上記出射光の入射側に配置された偏光子と、
上記光源と上記偏光子の間に配置された請求項１〜請求項８のいずれか１項に記載された上記光学シートと、
を備えることを特徴とする表示装置。
【請求項１０】
上記光源と光学シートとの間に、光を拡散させる光拡散板を配置したことを特徴とする請求項９に記載した表示装置。
【請求項１１】
上記光源と光学シートとの間に、光を導光する導光板を配置したことを特徴とする請求項９に記載した表示装置。
【請求項１２】
上記光源は、冷陰極管、発光ダイオード、ＥＬ、半導体レーザーのいずれかであることを特徴とする請求項９に記載した表示装置。
【発明の詳細な説明】
【技術分野】
【０００１】
本発明は、画素単位での透過／非透過のレンズシート及びディスプレイ用光学シートに好適な光学シート、その光学シートを使用した表示装置に関する。上記表示装置は、透明状態／散乱状態に応じて表示パターンが規定される表示素子が配置された液晶パネル等の画像表示素子を背面から照射するバックライト・ユニット及び上記画像表示素子とバックライト・ユニットを備えた表示装置として好適である。
【背景技術】
【０００２】
液晶表示装置（ＬＣＤ）に代表されるフラットパネルディスプレイとしては、提供される情報を認識するのに必要な照明装置を内蔵しているタイプが普及している。この照明装置で消費される電力は、液晶表示装置全体で消費する電力の相当部分を占める。従って、所定の輝度を提供するのに必要な照明装置の消費電力を低減することは、液晶表示装置全体の省電力化に寄与することができる。
【０００３】
ところで、液晶表示装置に使用される照明装置として、主に直下方式とエッジライト方式とが挙げられる。直下方式の照明装置は、光源を多数配置することが可能であるため、大型の（主として２０インチ以上の）液晶表示装置に適用されている。
一方、エッジライト方式は光源の配置位置が限定されるため、大型化には向かず、主としてノート型パソコン、液晶モニター、携帯情報端末等に適用されている。
【０００４】
しかし最近では、照明装置用の光源として冷陰極管に替わってＬＥＤ（Ｌｉｇｈｔ  Ｅｍｉｔｔｉｎｇ  Ｄｉｏｄｅ  発光ダイオード）が採用され始めたことにより、低消費電力化が図れ、薄型化の容易なエッジライト方式が、２０インチ以上の中型ないし大型液晶表示装置へ採用され始めている。
【０００５】
従来、直下型方式バックライトに使用される拡散板は、光源である冷陰極管から出射される光を拡散させ、輝度ムラ（ランプイメージ）を低減させることを目的としている。したがって、拡散板の上には観察者側方向の輝度を向上させるために、また拡散板では消しきれない光源のムラを低減させるために、単一、または複数の光学フィルムが配置される。
【０００６】
また、エッジライト方式は、導光板と呼ばれる透光性の板の端面にのみ光源が配置される構造のため、光源設置数に限界がある。従って液晶表示装置が大型になるにつれ、ディスプレイ全体を明るくすることは難しくなり、輝度を向上させる光学シート、輝度ムラを低減させる光学シートの役割が重要となる。
液晶表示画面の輝度を向上させる手段として、特許文献１〜３に記載のような、米国３Ｍ社の登録商標である輝度向上フィルム（Ｂｒｉｇｈｔｎｅｓｓ  Ｅｎｈａｎｃｅｍｅｎｔ  Ｆｉｌｍ：ＢＥＦ）がレンズシートとして広く使用されている。
【０００７】
図１０は、ＢＥＦの配置の一例を示す断面模式図であり、図１１は、ＢＥＦの斜視図である。図１０に示すように、ＢＥＦ１８５は、部材１８６上に、断面三角形状の単位プリズム１８７が一方向に周期的に配列された光学フィルムである。この単位プリズム１８７は光の波長に比較して大きいサイズ（ピッチ）とされている。
【０００８】
ＢＥＦ１８５は、“軸外（ｏｆｆ−ａｘｉｓ）”からの光を集光し、この光を視聴者に向けて“軸上（ｏｎ−ａｘｉｓ）”に方向転換（ｒｅｄｉｒｅｃｔ）または“リサイクル（ｒｅｃｙｃｌｅ）”することができる。すなわちＢＥＦ１８５は、ディスプレイの使用時（観察時）に、軸外輝度を低下させることによって軸上輝度を増大させることができる。ここで言う「軸上」とは、視聴者の視野方向Ｆ’に一致する方向であり、一般的にはディスプレイ画面に対する法線方向側である。
【０００９】
ＢＥＦ１８５に代表されるレンズシートを用いる際に、特許文献４のように、透明基材上に拡散フィラーを塗布し拡散と集光の両方の機能を持つ拡散フィルム（以下、下拡散フィルムと呼ぶ）を、拡散板とレンズシートとの間に配置することによって、拡散板から出射される拡散光を効率よく集光することができるとともに、拡散板だけでは消しきれない光源のムラを抑えることができる。
【００１０】
さらにまた、レンズシートと液晶パネルとの間に光拡散フィルムを配置した場合には、プリズムシートに起因する射出光のサイドローブを低減させることができるとともに、規則的に配列されたレンズと液晶画素との間に生じるモアレ干渉縞を防ぐことができる。
【００１１】
一方、エッジライト方式において使用される導光板は、端面から入射される入射光を効率良く射出面へと導く光変向面が、該射出面と対向する面に設けられることが一般的である。光変向面としては、例えば白色のドットパターンが印刷されたもの、あるいは、レンズ形状が付与されたもの等、効率よく射出面へと導くために様々な光変向面が提案されている。
【００１２】
しかしながら、どのような光変向面であっても、規則的に配列された反射層や構造物で形成されるため、上述のＢＥＦ１８５に代表されるレンズシートとの干渉（モアレ干渉縞）の問題や、光変向面のムラが視認されるといった問題があり、その解決手段としては、導光板とレンズシートとの間に、特許文献４に示されるような拡散フィルムを使用する方法が一般的である。
【００１３】
ところで、このような液晶表示装置について、軽量、低消費電力、高輝度、薄型化であることが市場ニーズとして強く要請されており、それに伴い、液晶表示装置に搭載されるバックライト・ユニットも、軽量、低消費電力、高輝度であることが要求されている。特に、近年、目覚しい発展をみるカラー液晶表示装置においては、液晶パネルのパネル透過率がモノクロ対応の液晶パネルに比べ格段に低く、そのため、バックライト・ユニットの輝度向上を図ることが、カラー液晶表示装置自体の低消費電力を得るために必須となっている。
【００１４】
しかしながら、上述したように従来の装置では、高輝度、低消費電力の要請に充分に応えられているとは言いがたく、ユーザからは、低価格、高輝度、高表示品位で、かつ低消費電力の液晶表示装置を実現できるバックライト・ユニット及び表示装置の開発が待ち望まれている。
【先行技術文献】
【特許文献】
【００１５】
【特許文献１】特公平１−３７８０１号公報
【特許文献２】特開平６−１０２５０６号公報
【特許文献３】特表平１０−５０６５００号公報
【特許文献４】特開２００４−２９５０８０号公報
【発明の概要】
【発明が解決しようとする課題】
【００１６】
近年、ディスプレイの更なる薄型化と高画質化が求められている。しかし、正面輝度の向上を目的として使用される反射性偏光シートは、高価であるため、液晶表示装置の生産コストを上昇させるという問題がある。また、ディスプレイの表示品位を向上させるため正面輝度の上昇、また拡散板、導光板だけでは消しきれない光源のムラを抑制する必要がある。
【００１７】
本発明は、上述の問題に鑑みてなされ、集光機能、光源ムラの隠蔽性とを兼ね備えた光学シート、及びその光学シートを使用した表示装置を提供することを目的とする。
【課題を解決するための手段】
【００１８】
上記課題を解決するために、本発明のうち請求項１に記載した発明は、シート状の基材の一方の面に、第１のレンズアレイ及び第２のレンズアレイが形成されると共に、上記基材の他方の面に、第３のレンズアレイ及び第４のレンズアレイが形成され、
上記第１のレンズアレイは、それぞれ一方向に沿って延在すると共に互いに平行に配置された複数の第１レンズからなり、上記第２のレンズアレイは、上記第１レンズの延在方向と交差する方向に沿って延在すると共に互いに平行に配置された複数の第２レンズからなり、
上記第３のレンズアレイは、互いに平行に配置された第３レンズからなり、上記第４のレンズアレイは、上記第３レンズの延在方向と交差する方向に沿って延在すると共に互いに平行に配置された複数の第４レンズからなり、
上記第１レンズ及び上記第２レンズは、互い射出光成分が異なることを特徴とする光学シートを提供するものである。
【００１９】
次に、請求項２に記載した発明は、上記第１レンズの形状は、断面台形の台形プリズム形状であり、その台形プリズムの頂角を６０度以上１００度以下の範囲に設定したことを特徴とするものである。
次に、請求項３に記載した発明は、上記第２レンズの形状は、断面三角形の三角プリズム形状であり、上記三角プリズムの頂角を７０度以上１３０度以下の範囲に設定したことを特徴とするものである。
【００２０】
次に、請求項４に記載した発明は、上記第１レンズの高さをＨ１、上記第２レンズの高さをＨ２とした場合に、「３＜Ｈ１／Ｈ２＜２０」を満足することを特徴とするものである。
次に、請求項５に記載した発明は、上記第３レンズの形状は、断面三角形の三角プリズム形状であり、三角プリズムの頂角を、１５０度以上１８０度未満に設定したことを特徴とするものである。
【００２１】
次に、請求項６に記載した発明は、上記第３レンズの頂部を丸めたことを特徴とするものである。
次に、請求項７に記載した発明は、上記第４レンズの形状は、断面三角形の三角プリズム形状であり、三角プリズムの頂角を、１５０度以上１８０度未満に設定したことを特徴とするものである。
【００２２】
次に、請求項８に記載した発明は、上記第４レンズの頂部を丸めたことを特徴とするものである。
次に、請求項９に記載した発明は、光源と、上記光源からの射出光を透過する画像表示素子と、上記画像表示素子における上記出射光の入射側に配置された偏光子と、上記光源と上記偏光子の間に配置された請求項１〜請求項８のいずれか１項に記載された上記光学シートと、を備えることを特徴とする表示装置を提供するものである。
【００２３】
次に、請求項１０に記載した発明は、上記光源と光学シートとの間に、光を拡散させる光拡散板を配置したことを特徴とするものである。
次に、請求項１１に記載した発明は、上記光源と光学シートとの間に、光を導光する導光板を配置したことを特徴とするものである。
次に、請求項１２に記載した発明は、上記光源は、冷陰極管、発光ダイオード、ＥＬ、半導体レーザーのいずれかであることを特徴とするものである。
【発明の効果】
【００２４】
本発明によれば、光入射面及び光射出面両面に対し、レンズ延在方向が交差するようにレンズ形状を組み合わせ且つ互いの射出光成分が異なるように構成することで、バックライト・ユニットから射出される光に対し、集光機能の配光制御だけでなく、光学密着、耐擦傷性を向上させつつ、光源のムラを抑制することが可能となる。
【図面の簡単な説明】
【００２５】
【図１】本発明の実施形態である表示装置の断面模式図である。
【図２】本発明の実施形態であるレンズシートの斜視図である。
【図３】プリズムを説明する図であって、（ａ）プリズムの配光特性図、            （ｂ）プリズムの光線追跡結果図、（ｃ）プリズムの光線追跡結果図である。
【図４】本発明の実施形態であるレンズシートの配光特性図である。
【図５】本発明の実施形態であるレンズシートの輝度変化図である。
【図６】本発明の実施形態であるレンズシートの輝度変化図である。
【図７】本発明の実施形態である表示装置の説明図である。
【図８】本発明の実施形態である表示装置の説明図である。
【図９】本発明の実施形態である表示装置の説明図である。
【図１０】ＢＥＦの配置の一例を示す断面模式図である。
【図１１】ＢＥＦの斜視図である。
【図１２】光強度と視野方向に対する角度との関係を示すグラフである。
【図１３】本発明の実施形態であるレンズシートの配光特性図である。
【発明を実施するための形態】
【００２６】
以下、本発明の実施形態について図面を参照しつつ説明する。
図１は、本実施形態のレンズシート、バックライト・ユニットおよび表示装置の一例を示す断面模式図である。図１（ａ）は直下方式の一例を示す断面模式図、図１（ｂ）はエッジライト方式の一例を示す断面模式図である。
本発明の実施形態である表示装置７０は、図１に示すように、画像表示素子３５、本発明の実施形態であるレンズシート１を有する光学部材とバックライト・ユニット５５とから構成されている。レンズシート１は光学シートを構成する。符号１３はその他の光学シートである
【００２７】
上記バックライト・ユニット５５は、ランプハウス（反射板）４３内に複数の光源４１が配置され、光源４１から入射する光を拡散して射出する拡散板２５、もしくは光源４１から入射する光を導光して射出する導光板２６、が位置されている。また、上記拡散板２５又は導光板２６の射出光側に、上記レンズシート１が配置される。
【００２８】
これによって、光源４１から射出された光Ｈは、拡散板２５もしくは導光板２６を透過し射出光Ｉとして射出される。その射出光Ｉは、その上に配置されたレンズシート１で集光される。さらに、バックライト・ユニット５５から射出される光Ｋが、画像表示素子３５に入射し、観察者側Ｆへと射出される。
【００２９】
上記光源４１は、画像表示素子３５へと光を供給するものである。光源４１としては、たとえば、複数の線状光源や点状光源を用いることができる。複数の線状光源としては、ＣＣＦＬやＨＣＦＬ、ＥＥＦＬ等の蛍光管が挙げられる。また点状光源としては、ＬＥＤが挙げられ、ＬＥＤとしては白色ＬＥＤやＲＧＢ−ＬＥＤ等が挙げられる。
【００３０】
上記反射板４３は、直下方式にあっては複数の光源４１の観察者側Ｆと反対側に配置される。そして、上記反射板４３は、光源４１から全方向に出射された光のうち、観察者側Ｆと反対側の方向に出射された光を反射させて観察者側Ｆに出射させることができる。その結果、観察者側Ｆに出射された光Ｈは、ほぼ光源４１から全方向に出射された光となる。このように反射板４３を用いることによって、光の利用効率を高めることができる。反射板４３としては、光を高効率で反射させる部材であればよく、たとえば、一般的な反射フィルム、反射板などを使用することができる。
【００３１】
図１（ｂ）のエッジライト方式では、光源４１が導光板２６の１つの端面に配置された例を示しているが、これに限らず、対向する２つの端面に配置する場合、または４つの端面に配置される場合などもあり得る。このとき、導光板２６の形状は、図１に示すような楔形状ではなく、平板形状の場合があり得る。
【００３２】
導光板２６の観察者側Ｆとは反対側の面には光変向面２８が形成される。光変向面は、光源４１からの入射光を射出面側へと偏向する面であり、例えば白色拡散反射ドットが印刷される。また別の例としては、マイクロレンズ形状やプリズム形状等の構造物が挙げられる。
【００３３】
一般的に導光板２６は透明板であるため、このような光変向面２８は観察者側Ｆより視認される。また、導光板２６からの射出光はムラが多く、均一な拡散光とは大きく異なる。そのため、エッジライト型のバックライト・ユニット５５においては、一般的に導光板２６の上には、この光変向面２８を隠蔽するため、また射出光のムラを低減するために、通常、強い拡散性を有する拡散フィルム等が使用される。しかしながら、このような拡散フィルムはほとんど集光性能を有していない。
【００３４】
これに対し、本実施形態の照明ユニット５５においては隠蔽構造体としてのレンズシート１が配置されるため、導光板２６の光変向面２８を隠蔽し、導光板２６からの射出光を拡散することで光学的なムラを低減し、正面方向へと集光する。このとき、隠蔽構造体としてのレンズシート１を構成する第１のレンズアレイの線状レンズが、観察者側Ｆから見て、照明ユニットの水平方向に配列されるよう配置される。これによって、強い拡散性を有する拡散フィルムが不要となる。
【００３５】
（レンズシート１について）
次に、上記レンズシート１について図２を用いて説明する。
図２は、第１のレンズアレイ３ａの第１レンズの形状が台形プリズムレンズ形状であり、第２のレンズアレイ３ｂの第２レンズ、第３のレンズアレイ４ａの第３レンズ、第４のレンズアレイ４ｂの第４レンズの形状が、それぞれ三角プリズム形状の場合の模式的な斜視図である。
【００３６】
上記レンズシート１は、光透過性且つシート状の基材の両面にそれぞれ個別にレンズが形成されて構成される。すなわち、光透過性の基材１７の２つのシート面１７ａ、１７ｂのうち、画像表示素子３５側（光出射側）の面１７ｂに対し、第１のレンズアレイ３ａおよび第２のレンズアレイ３ｂから構成される出射側レンズ３が形成される。また入射側の面１７ａに対し、第３のレンズアレイ４ａおよび第４のレンズアレイ４ｂから構成される入射側レンズ４が形成される。
【００３７】
（光射出面１７ｂ側のレンズ３について）
面１７ｂに形成される上記第１のレンズアレイ３ａと第２のレンズアレイ３ｂとは次の配置関係となっている。すなわち、一定方向に沿って延在する第１のレンズアレイ３ａのレンズ（第１レンズ）の頂部に対し、当該第１のレンズアレイ３ａの第１レンズの延在方向と交差する方向に、第２のレンズアレイ３ｂのレンズ（第２レンズ）が形成される。
【００３８】
これによって、図２に示すように、第１のレンズアレイ３ａの第１レンズを形成する上記台形プリズムの短辺部（頂部）に、第２レンズである三角プリズムが並んで形成され、且つ、第２のレンズアレイ３ｂの頂部は第１のレンズアレイ３ａである台形プリズムの頂部と一致している。
ここで、レンズシートの面に形成されるレンズが一方向だけに配置される場合、レンズ配列方向側にのみ集光効果が得られる。従って視野の狭い方向と広い方向とが存在することとなる。
【００３９】
これに対し、本実施形態のレンズシート１は、図２に示されるように、第１のレンズアレイ３ａの第１レンズの延在方向と交差する方向に第２のレンズアレイ３ｂの第２レンズが形成されている。第１のレンズアレイ３ａのレンズと第２のレンズアレイ３ｂのレンズとのなす角（第１のレンズアレイ３ａのレンズの延在方向と第２のレンズアレイ３ｂのレンズの延在方向とのなす角度）は、９０度若しくは略９０度であることが望ましい。９０度若しくは略９０度に設定することで、観察者側Ｆから表示装置を平面視した場合、水平方向Ｈｏと垂直方向Ｖｅとに集光効果を得ることが可能となる。
【００４０】
以上のように本実施形態のレンズシート１は二方向に集光機能が存在するため、集光効果が高まる。
【００４１】
ここで、二方向以上に集光機能が存在する光学フィルムのレンズアレイを形成するレンズとして、四角錘に代表される多角錘レンズからなるレンズアレイが例示できる。しかし、この多角錘レンズからなるレンズアレイの場合、二方向の集光割合を調節するには、多角錘の頂角を変える必要がある。四角錘を例に挙げると、最も輝度が高くなる構成は頂角が９０度の四角錘であるが、どちらか一方向の視野範囲を拡げたい、又は狭めたいといった場合、頂角を大きくする、又は小さくする必要がある。しかしながら頂角を変えてしまうと輝度が低下してしまうという問題が生じる。これに対し、本実施形態のレンズシート１は、第１のレンズアレイ３が台形プリズム形状であり、第２のレンズアレイ５が三角プリズム形状であって、且つ第１のレンズアレイ３ａである台形プリズムの頂部と第２のレンズアレイ３ｂの頂部とが一致しているため、第１のレンズアレイ３ａの頂部の幅を調整することで、二方向の集光割合を輝度を大きく変えずに調節することができる。つまり、Ｈｏ方向の視野を広く設定したり、Ｈｏ方向及びＶｅ方向の二方向の視野を同程度に設定したり等、本実施形態のレンズシート１の適用条件によって、視野の範囲を任意に設定することが可能である。
【００４２】
図３（ａ）に頂角が９０度の三角プリズムからなるレンズの視野角分布を示す。三角プリズムは正面方向に集光するため、図３（ａ）のように、０度に最大ピークを持つが、サイドローブが生じ、４５度付近に谷間Ｖａが生じる。サイドローブは表示装置７０として不要な方向への射出光であるが、サイドローブ自体が表示装置７０を観察する上で問題となるのではなく、０度のメインピークとサイドローブとの谷間Ｖａの輝度が低いことが問題となる。その理由は、谷間Ｖａの角度から表示装置７０を観察すると、画面が暗くなってしまうためである。従って、サイドローブを低減させてもこの谷間Ｖａの輝度が低すぎる場合、表示装置７０として望ましくない。
【００４３】
図３（ｂ）はレンズシートの一つの単位三角プリズムから正面方向（０度）に出射する光線を示す。この場合にはレンズの全面から光線が出ることが分かる。また、図３（ｃ）は、図３（ｂ）と同じレンズシートの単位プリズムについて、正面方向ではなく垂直斜め方向近辺（６０度〜９０度）に出射する光を示す。図３（ｃ）のように、斜め方向の光は三角プリズムの頂点付近３０２からしか出ないことが分かる。
【００４４】
すなわち、レンズシート１から出る全体の輝度分布において光のロスになるサイドローブと呼ばれる部分はレンズシートの各単位プリズム（各レンズ）の頂点付近から出射される光である。
従って、サイドローブを低減させる方法として、三角プリズムの頂点付近の形状を変化させことにより、サイドローブが低減された出射光分布を得ることが出来る。この考えを具現化したレンズシートの構造が本実施形態のレンズシート１である。
【００４５】
ここで、図４（ａ）に第１のレンズアレイ３ａすなわち台形プリズムの視野角分布を示す。台形プリズムは、傾斜面は略直線となるため、三角プリズムと同等の効果が得られる。さらに、台形プリズムは、三角プリズムの頂点付近が平坦なため、図４（ａ）に示すように、三角プリズムの頂点付近３０２から射出されるサイドローブ（図３（ｃ）参照）を低減させることが可能である。しかし、台形プリズムは三角プリズムの頂点付近が平坦な形状なため、三角プリズムほどの集光効果は発揮できない。
【００４６】
これに対し、本実施形態では、台形プリズム３ａの頂部と三角プリズム３ｂの頂部とが一致するように、つまり第２のレンズアレイ３ｂの第１レンズの延在方向と台形プリズム３ａからなる第１レンズの延在方向とが交差するように形成することにより、輝度上昇効果を得ることができる。
【００４７】
図４（ｂ）に第２のレンズアレイ３ｂすなわち三角プリズムの視野角分布を示す。ここで、水平方向視野分布Ｈｏは、第１のレンズアレイ３ａの第１レンズの延在方向とする。図４（ｂ）から、第２のレンズアレイ３ｂは、第１のレンズアレイ３ａとは反対に、Ｈｏ方向に集光効果が強いレンズであることがわかる。
【００４８】
図４（ｃ）にレンズシート１の視野角分布を示す。
レンズシート１の出射側レンズ３は、第１のレンズアレイ３ａのレンズ（第１レンズ）が台形プリズム形状であり、第２のレンズアレイ３ｂのレンズ（第２レンズ）が三角プリズム形状である複合形状である。すなわち、図４（ａ）に示す、サイドローブが発生しない台形プリズムと図４（ｂ）に示す集光効果の高い三角プリズムの視野角分布とが合成された視野分布特性を得られる。また、第１のレンズアレイ３ａの頂部の幅を調節することで、Ｖｅ方向の視野を拡げるか、逆にＨｏ方向の視野を広げるかと調節することが可能である。
【００４９】
図５（ａ）は、第１のレンズアレイ３ａを形成する第１レンズの頂角θ１、第２のレンズアレイ３ｂを形成する第２レンズの頂角θ２を変化させたときの、レンズシート１の相対輝度を示した図である。ここで輝度は、第１のレンズアレイ３ａを形成する第１レンズの頂角θ１、第２レンズアレイ３ｂを形成する第２レンズの頂角θ２を９０度としたときの輝度を１．０としている。また、第１のレンズアレイ３ａを形成する第１レンズの頂角θ１とは、台形プリズムの傾斜面の延長線上の交点がなす角をθ１としている。
【００５０】
第１のレンズアレイ３ａのレンズの頂角θ１、第２のレンズアレイ３ｂのレンズの頂角θ２は、相対輝度で最大１０％未満輝度低下する範囲であることが望ましい。相対輝度が１０％以上低下すると、画面が暗くなり、表示品位が低下するためである。すなわち、第１のレンズアレイ３ａを形成するレンズの頂角θ１は、６０度以上１１０度以下、更には７０度以上１００度以下の範囲であることが望ましい。第２のレンズアレイ３ｂの頂角θ２は、７０度以上１３０度以下、更には８０度以上１００度以下の範囲であることが望ましい。第１のレンズアレイ３ａの頂角θ１の方が、第２のレンズアレイ３ｂの頂角θ２よりも、角度範囲が広いのは、レンズシート１において第１のレンズアレイ３ａよりも第２のレンズアレイ３ｂの集光効果の影響が強いためである。
【００５１】
図５（ｂ）は、第１のレンズアレイ３ａの高さＨ１と第２のレンズアレイ３ｂの高さＨ２の比（Ｈ１／Ｈ２）を変化させたときの相対輝度を示したものである。ここで相対輝度とは９０度プリズムの正面輝度を１としたときの値である。
【００５２】
図５（ｂ）から分かるように、第１レンズアレイ３ａを形成するレンズの高さＨ１と第２レンズアレイ３ｂを形成するレンズの高さＨ２の比（Ｈ１／Ｈ２）が大きくなるに従い、相対輝度は上昇する。これは、第１レンズアレイ３ａを形成するレンズの高さＨ１と第２レンズアレイ３ｂを形成するレンズの高さＨ２の比（Ｈ１／Ｈ２）が大きくなるに従い、幅Ｌ１が小さくなり出射側レンズ３ａの形状である台形プリズムが、断面三角形状の三角プリズム形状に近づくため、出射側レンズ３の集光効果が強まり輝度が上昇するためである。
【００５３】
第１レンズアレイ３ａを形成するレンズの高さＨ１と第２レンズアレイ３ｂを形成するレンズの高さＨ２の比（Ｈ１／Ｈ２）は、２以上で９０度プリズムより輝度が上昇し、２０以上で定常状態となるため２以上２０以下であることが望ましい。更には、第１レンズアレイ３ａを形成するレンズの高さＨ１と第２レンズアレイ３ｂを形成するレンズの高さＨ２の比（Ｈ１／Ｈ２）は、３以下で相対輝度が急激に低下するため、第１レンズアレイ３ａを形成するレンズの高さＨ１と第２レンズアレイ３ｂを形成するレンズの高さＨ２の比（Ｈ１／Ｈ２）は、３以上２０以下であることがより好ましい。
【００５４】
（光入射面１７ａ側のレンズについて）
通常、レンズシート１の光入射面１７ａには、拡散板２５もしくは導光板２６との光学密着、傷つきを抑制するため、また光源のランプイメージや導光板のドットパターンを隠蔽するため、マット形状やハードコート処理が施されている。しかし、マット形状やハードコート処理を施すと、レンズシート１の光入射面１７ａが平面である場合と比較し相対輝度は１０％程度低下する。一方、光入射面１７ａに入射側レンズ４を形成することにより、光学密着、耐擦傷性、防止隠蔽性を向上させつつ相対輝度の低下を抑制することが可能である。
【００５５】
図６は、第３のレンズアレイ４ａを形成するレンズの頂角θ３、第４のレンズアレイ４ｂを形成するレンズの頂角θ４を変化させたときの、レンズシート１の相対輝度を示した図である。ここで輝度は、光射出面のレンズ形状が頂角９０度の三角プリズム形状であり、光入射面が平面であるときの輝度を１．０としている。
【００５６】
第３のレンズアレイ４ａを形成するレンズの頂角θ３、第４のレンズアレイ４ｂを形成するレンズの頂角θ４は、頂角９０度の三角プリズムに対する相対輝度で同等以上であることが望ましい。相対輝度が低下すると、画面が暗くなり、表示品位が低下するためである。また、光入射面１７ａが平面であると隠蔽性が低下する。輝度、隠蔽性の両面から、第３のレンズアレイ４ａを形成する第３レンズの頂角θ３および第４のレンズアレイ４ｂを形成する第４レンズの頂角θ４は、１５０度から１８０度、更には１６０度から１７０度の範囲であることが望ましい。また、第３レンズ及び第４レンズの頂部は丸められていることが好ましい。
【００５７】
レンズシート１における光射出面１７ｂに出射側レンズ３を形成することにより隠蔽性が向上する。光源４１からの射出光が拡散板２５もしくは導光板２６を介して射出され、レンズシート１へ入射光Ｉとして入射する。入射した光は、光射出面１７ｂに形成された第１のレンズアレイ３ａおよび第２のレンズアレイ３ｂでスプリットされ、図７に示した擬似光源４１ａ、４１ｂのような射出光Ｋとして観測される。
【００５８】
さらに、レンズシート１における光入射面１７ａに入射側レンズ４を形成することにより隠蔽性が向上する。光源４１からの射出光が拡散板２５もしくは導光板２６を介して射出され、レンズシート１へ入射光Ｉとして入射した光は、光入射面１７ａに形成された第３のレンズアレイ４ａおよび第４のレンズアレイ４ｂでスプリットされ、図８に示した擬似光源４１ａ、４１ｂのような射出光Ｋとして観測される。
【００５９】
ここで、以上の説明では、第１のレンズアレイ３ａが台形プリズム、第２のレンズアレイ３ｂ、第３のレンズアレイ４ａ、及び第４のレンズアレイ４ｂが三角プリズムである場合について説明してきた。しかし、各々のレンズアレイのレンズ形状は任意に選ぶことが出来る。そのレンズ形状としては、例えば、凸レンチキュラーが挙げることができる。凸レンチキュラーは、一方向にのみ形成された場合、視野範囲の広い表示装置７０が得られるが、一方で観察者側Ｆへの集光効果は弱いため高輝度は得難い。しかしながら、第２のレンズアレイ５として三角プリズムを形成した場合、水平方向Ｘｏと垂直方向Ｖｅとの２方向の集光効果が得られるため、視野範囲が広く且つ高輝度な表示装置７０を得ることができる。また、凸レンチキュラーレンズ形状にすることにより、光源から射出された光Ｉが、三角プリズム形状ではスプリットされていたのに対し、凸レンチキュラー形状にすることによりレンチキュラーレンズの配列方向にブロードに拡散された射出光Ｋとして観測されるため隠蔽性は向上する。
【００６０】
図９（ａ）は点光源、図９（ｂ）は点光源を六方配列したときの観察図である。図９（ｃ）（ｄ）は、点光源および点光源を六方配置したときに、本発明のレンズシート１の光入射面１７ａを平坦にしたものを設置したときの観察図である。光射出面１７ｂに出射側レンズ３を形成することにより、１点の点光源が水平方向、垂直方向にスプリットされ４個の点光源として観測されることがわかる。
【００６１】
また、図９（ｅ）（ｇ）（ｉ）は、点光源の上に、光射出面１７ｂを平坦面とし、光入射面１７ａに第３のレンズアレイ４ａおよび第４のレンズアレイ４ｂの頂角を１７０度、１６０度、１５０度としたレンズシート１を設置したときの観察図である。図９（ｆ）（ｈ）（ｊ）は、点光源を六方配置したときの観察図である。レンズシート１の光入射面１７ａに入射側レンズ４を設置することにより、１点の点光源が４点にスプリットされることが分かる。また第３のレンズアレイ４ａおよび第４のレンズアレイ４ｂの頂角が小さくなるにしたがい、スプリットされた光の間隔が大きくなることがわかる。第３のレンズアレイ４ａおよび第４のレンズアレイ４ｂの頂角が大きすぎると、光入射面１７ａで光源が完全にスプリットされ、別々の光源として観測されるため、第３のレンズアレイ４ａおよび第４のレンズアレイ４ｂの頂角は点光源が完全にはスプリットされずに観測される、１５０度以上であることが望ましい。
【００６２】
また、第３のレンズアレイ４ａおよび第４のレンズアレイ４ｂの頂角が大きすぎると、点光源はスプリットされないので、第３のレンズアレイ４ａおよび第４のレンズアレイ４ｂの頂角は１７０度以下であることが望ましい。
【００６３】
図９（ｋ）（ｌ）（ｍ）（ｎ）（ｏ）（ｐ）は、レンズシート１の光射出面１７ｂに出射側レンズ３を、光入射面１７ａに入射側レンズ４を設定したときの、点光源の観測結果である。これらの観察図から、本発明のレンズシート１を設置することにより、光源の隠蔽性が向上していることが明らかである。
【００６４】
ここまで、光源は点光源として説明してきたが、光源は自由に選ぶことができる。たとえば、光源は、冷陰極間のような線状光源でもよいし、ＥＬのような面光源でもよく、さらには導光板から正面方向へと射出される光を光源としてもよい。
【００６５】
また、これまで第３のレンズアレイ４ａおよび第４のレンズアレイ４ｂの頂角が尖角である場合について述べてきたが、これに限定されない。第３のレンズアレイ４ａおよび第４のレンズアレイ４ｂのピッチに対する曲率が２０％以下となるように頂部が丸められてあれば、輝度の低下率が低く、隠蔽性を向上させることが可能である。
【００６６】
ここで、拡散板２５および導光板２６は、透明樹脂に光拡散領域が分散されて形成されている。透明樹脂としては、熱可塑性樹脂、熱硬化性樹脂などを用いることができ、例えば、ポリカーボネート樹脂、アクリル系樹脂、フッ素系アクリル樹脂、シリコーン系アクリル樹脂、エポキシアクリレート樹脂、ポリスチレン樹脂、シクロオレフィンポリマー、メチルスチレン樹脂、フルオレン樹脂、ポリエチレンテレフタレート（ＰＥＴ）、ポリプロピレン、アクリルニトリルスチレン共重合体、アクリロニトリルポリスチレン共重合体などを用いることができる。
【００６７】
光拡散領域は、光拡散粒子からなることが好ましい。好適な拡散性能を容易に得ることができるためである。光拡散粒子としては、無機酸化物または樹脂からなる透明粒子を用いることができる。無機酸化物からなる透明粒子としては、例えば、シリカ、アルミナなどを用いることができる。また、樹脂からなる透明粒子としては、アクリル粒子、スチレン粒子、スチレンアクリル粒子及びその架橋体、メラミン・ホルマリン縮合物の粒子、ＰＴＦＥ（ポリテトラフルオロエチレン）、ＰＦＡ（ペルフルオロアルコキシ樹脂）、ＦＥＰ（テトラフルオロエチレン・ヘキサフルオロプロピレン共重合体）、ＰＶＤＦ（ポリフルオロビニリデン）、及びＥＴＦＥ（エチレン・テトラフルオロエチレン共重合体）等のフッ素ポリマー粒子、シリコーン樹脂粒子などを用いることができる。また、上述した透明粒子から２種類以上の透明粒子を組み合わせて使用してもよい。さらにまた、透明粒子の大きさ、形状は、特に規定されない。
【００６８】
光拡散領域として光拡散粒子を用いた場合には、拡散板２５の厚さが０．１ｍｍ以上５ｍｍ以下であることが好ましい。拡散板２５の厚みが０．１ｍｍ以上５ｍｍ以下である場合には、最適な拡散性能と輝度を得ることができる。逆に、０．１ｍｍ未満の場合には、拡散性能が足りず、５ｍｍを超える場合には、樹脂量が多いため吸収による輝度低下が生じる。
【００６９】
なお、透明樹脂として熱可塑性樹脂を用いた場合には、光拡散領域として気泡を用いても良い。熱可塑性樹脂の内部に形成された気泡の内部表面が光の乱反射を生じさせ、光拡散粒子を分散させた場合と同等以上の光拡散機能を発現させることができる。そのため、拡散板２５の膜厚をより薄くすることが可能となる。このような拡散板２５として、白色ＰＥＴや白色ＰＰなどを挙げることができる。白色
ＰＥＴは、ＰＥＴと相溶性のない樹脂や酸化チタン（ＴｉＯ２）、硫酸化バリウム（ＢａＳＯ４）、炭酸カルシウムのようなフィラーをＰＥＴに分散させた後、該ＰＥＴを２軸延伸法で延伸することにより、該フィラーの周りに気泡を発生させて形成する。
【００７０】
なお、熱可塑性樹脂からなる拡散板２５は、少なくとも１軸方向に延伸されてなればよい。少なくとも１軸方向に延伸させれば、フィラーの周りに気泡を発生させることができるためである。
【００７１】
熱可塑性樹脂としては、例えば、ポリエチレンテレフタレート（ＰＥＴ）、ポリエチレン−２、６−ナフレート、ポリプロピレンテレフタレート、ポリブチレンテレフタレート、シクロヘキサンジメタノール共重合ポリエステル樹脂、イソフタル酸共重合ポリエステル樹脂、スポログリコール共重合ポリエステル樹脂、フルオレン共重合ポリエステル樹脂等のポリエステル系樹脂、ポリエチレン、ポリプロピレン、ポリメチルペンテン、脂環式オレフィン共重合樹脂等のポリオレフィン系樹脂、ポリメチルメタクリレート等のアクリル樹脂、ポリカーボネート、ポリスチレン、ポリアミド、ポリエーテル、ポリエステルアミド、ポリエーテルエステル、ポリ塩化ビニル、シクロオレフィンポリマー、およびこれらを成分とする共重合体、またこれら樹脂の混合物などを用いることができ、特に制限されることはない。
【００７２】
光拡散領域として気泡を用いた場合には、拡散板２５の厚さが２５μｍ以上５００μｍ以下であることが好ましい。拡散板２５の厚さが２５μｍ未満の場合には、シートのこしが不足し、製造工程やディスプレイ内でしわを発生しやすくなるので好ましくない。また、拡散板２５の厚さが５００μｍを超える場合には、光学性能についてはとくに問題ないが、剛性が増すためロール状に加工しにくい、スリットが容易にできないなど、従来の拡散板と比較して得られる薄さの利点が少なくなるので好ましくない。
【００７３】
レンズシート１の厚みに関しては光学特性への影響よりはむしろ製造プロセス或は要求されるレンズシート１の物理特性等により決められる。例えば、ＵＶ成形により第１のレンズアレイ３、第２のレンズアレイ５及び突起部２９を形成した場合、その支持基材フィルムの基材厚さＴは、５０ｕｍ以下だとシワが出てしまうので、５０μｍ＜Ｔである必要がある。さらにまた使用するバックライト・ユニットや表示装置のサイズによりその基材厚みは変化する。例えば、対角３７インチサイズ以上の表示装置では基材厚さＴは０．０５ｍｍ以上３ｍｍ以下が望ましい。
【００７４】
また一般にディスプレイも周期的な画素構造を持つものが多く、そのため、それぞれの周期構造同士のモアレ、３つ以上の周期構造で発生する２次モアレなどの高次のモアレが生じ見た目を損なう欠点が生じる。そこでレンズシート１のレンチキュラー方向を、画像表示素子３５の周期構造の方向から３０度以下の範囲でずれていてもよい。これにより、画像表示素子３５の周期的な画素構造の横或は縦の構造との間で生じるモアレを防止することができる。
【００７５】
上述のモアレを防ぐ方法として、出射側レンズ３または入射側レンズ４を蛇行させることによっても上述のモアレを防ぐことが可能である。またモアレを防ぐ別の方法として、出射側レンズ３および入射側レンズ４のレンズピッチをランダムとする方法もある。この場合、レンズの高さとピッチを変えてランダムとする方法とレンズの高さを変えずにピッチのみをランダムとする方法、そして上記プリズムレンズのシフト量Δをランダムとする方法があるが、外観上におけるムラの観点からレンズの高さを変えないランダムにする方法が望ましく、またその場合のランダム率（標準ピッチに対するピッチの増減率）は２０％以下が望ましく、更に望ましくは１０％以下が望ましい。
【００７６】
上述のようなレンズシート１は、透光性基材１７上にＵＶや放射線硬化樹脂を用いて成形されるか、またはＰＥＴ（ポリエチレンテレフタレート）、ＰＣ（ポリカーボネート）、ＰＭＭＡ（ポリメチルメタクリレート）、ＣＯＰ（シクロオレフィンポリマー）、ＰＡＮ（ポリアクリロニトリル共重合体）、ＡＳ（アクリロニトリルスチレン共重合体）等を用いて、当該技術分野では良く知られている押し出し成形法、射出成型法、あるいは熱プレス成型法によって形成する。このようにして作製されたレンズシート１の突起部２９の表面には、例えば白色顔料からなる光反射層を付与してもよい。ここで白色顔料としては、酸化チタンや酸化アルミニウム、硫酸バリウム等が挙げられ、印刷法などによって形成する。
【００７７】
また、本実施形態の表示装置７０を構成する画像表示素子３５は、２枚の偏光板（偏光フィルム、偏光子）３１、３３と、その間に狭持された液晶パネル３２とからなる。液晶パネル３２は、たとえば、２枚のガラス基板の間に液晶層が充填されて構成されている。バックライト・ユニット５５から出射された光Ｋは、偏光フィルター３３を介して液晶部３２に入射され、偏光フィルター３１を介して観察者側Ｆに出射される。
【００７８】
なお、本発明の実施形態である表示装置７０に、拡散フィルム、プリズムシート、偏光分離反射シートなどを配置してもよい。そうすることにより、画像品位をより向上させることができる。
本実施形態の表示装置７０は、先に記載したレンズシート１により集光・拡散特性を向上させた光Ｋを利用する構成なので、観察者側Ｆの輝度を向上させ、光強度の視角方向の分布を滑らかにするとともに、ランプイメージを低減した画像を画像表示素子３５に表示することができる。
【００７９】
また、本実施形態の表示装置７０は、画素単位での透過／遮光に応じて表示画像を規定する画像表示素子３５で、先に記載したバックライト・ユニット５５により集光・拡散特性を向上させた光Ｋを利用する構成なので、観察者側Ｆの輝度を向上させ、光強度の視角方向の分布を滑らかにするとともに、ランプイメージを低減した画像を得ることができる。
【００８０】
また、本実施形態の表示装置７０は、画像表示素子３５が液晶表示素子であり、先に記載したバックライト・ユニット５５により集光・拡散特性を向上させた光Ｋを利用する構成なので、観察者側Ｆの輝度を向上させ、光強度の視角方向の分布を滑らかにするとともに、ランプイメージを低減した画像を得ることができる。
【００８１】
ここまで、本発明のレンズシート１、それを用いた光学シート５２を液晶装置からなる表示装置の場合について説明してきたがこれに限らず、背面投射型スクリーン、太陽電池、有機又は無機ＥＬ、照明装置など、光路制御を行うものであれば、いずれのものにも使用することができる。
【実施例１】
【００８２】
以下、本発明を実施例に基づいて詳細に説明する。尚、本発明はこれらの実施例のみに限定されるものではない。
【００８３】
（比較例１）
比較例１によるレンズシートとして、拡散フィルムを用いた。
（実施例１）
レンズシート１は、ポリカーボネイトを用いて基材１７の厚みを２５０μｍとして作製した。レンズシート１における第１のレンズアレイ３ａは、頂角を９０度、レンズピッチを６６μｍの台形プリズム、第２のレンズアレイ３ｂは、頂角を９０度、レンズピッチを２２μｍの三角プリズム、光入射面１７ａは平坦面としたレンズシート１を用いた。
【００８４】
（実施例２）
レンズシート１は、ポリカーボネイトを用いて基材１７の厚みを２５０μｍとして作製した。レンズシート１における第１のレンズアレイ３ａは、頂角を９０度、レンズピッチを６６μｍの台形プリズム、第２のレンズアレイ３ｂは、頂角を９０度、レンズピッチを２２μｍの三角プリズム、第３のレンズアレイ４ａおよび第４のレンズアレイ４ｂを頂角１７０度の三角プリズムとしたレンズシート１を用いた。
【００８５】
（実施例３）
レンズシート１は、ポリカーボネイトを用いて基材１７の厚みを２５０μとして作製した。レンズシート１における第１のレンズアレイ３ａは、頂角を９０度、レンズピッチを６６μｍの台形プリズム、第２のレンズアレイ３ｂは、頂角を９０度、レンズピッチを２２μｍの三角プリズム、第３のレンズアレイ４ａおよび第４のレンズアレイ４ｂを頂角１６０度の三角プリズムとしたレンズシート１を用いた。
【００８６】
実施例１〜３で作製した各レンズシート１と比較例１で作製したレンズシートとを、それぞれ本実施形態によるバックライト・ユニット５５に配置し、その配光分布を測定した。バックライト・ユニット５５の構成は、反射板４３の観察者側Ｆに光源４１としてＬＥＤが配置され、その観察者側Ｆに向けて導光板２６、レンズシート１、９０度プリズムシートという順番で配置した。
【００８７】
実施例１と比較例１による配光分布測定の結果を図１３に示す。また、光学測定結果および隠蔽性評価結果を表１に示す。
【００８８】
【表１】
2012027083.tif 000003
【００８９】
表１から、レンズシート１の光入射面１７ａに入射側レンズ４を設けることにより、隠蔽性が向上することが明らかである。また、第３のレンズアレイ４ａおよび第４のレンズアレイ４ｂの頂角を１５０度より小さくすると隠蔽効果は向上するが、相対輝度が１以下となり、表示品位の低下が見られた。
【符号の説明】
【００９０】
１     レンズシート
３     出射側レンズ
３ａ   第１のレンズアレイ
３ｂ   第２のレンズアレイ
４     入射側レンズ
４ａ   第３のレンズアレイ
４ｂ   第４のレンズアレイ
１７   基材
１７ａ 光入射面
１７ｂ 光射出面
２５   拡散板
２６   導光板
２８   光変向面
２９   突起部
３１   偏光フィルター
３２   液晶パネル
３２   液晶部
３３   偏光フィルター
３５   画像表示素子
４３   反射板
５２   光学シート
５５   バックライト・ユニット
５５   照明ユニット
５５   バックライト・ユニット
７０   表示装置
【図１】
2012027083.tif 000004
【図２】
2012027083.tif 000005
【図３】
2012027083.tif 000006
【図４】
2012027083.tif 000007
【図５】
2012027083.tif 000008
【図６】
2012027083.tif 000009
【図７】
2012027083.tif 000010
【図８】
2012027083.tif 000011
【図９】
2012027083.tif 000012
【図１０】
2012027083.tif 000013
【図１１】
2012027083.tif 000014
【図１２】
2012027083.tif 000015
【図１３】
2012027083.tif 000016